(57)【要約】【課題】検査作業性に優れ検査精度も向上させることが出来る空気調和機の室外機用袋を提供する。【解決手段】側面に室内機（図示せず）と接続する配管接続部４を設けた空気調和機の室外機３を覆い、輸送中に埃などから保護する空気調和機の室外機用袋１において、前記室外機用袋１の前記配管接続部４側に、上端を残し３辺を切断して形成した略舌状の切断部２を設けたもので、分離型の空気調和機の室外機３に、室外機用袋１を被せた後の冷媒漏れの検査が、切断部２を利用して行うことが可能となり検査の作業性が向上する。また、室外機用袋１により室外機３全体を包み込むため微量な冷媒の漏れも発見することが可能となり検査の精度も向上させることができる。【選択図】図１
2010083569.tif 000002
【特許請求の範囲】
【請求項１】
側面に室内機と接続する配管接続部を設けた空気調和機の室外機を覆い、輸送中に埃などから保護する空気調和機の室外機用袋において、前記室外機用袋の前記配管接続部側に、上端を残し３辺を切断して形成した略舌状の切断部を設けた空気調和機の室外機用袋。
【請求項２】
３辺を、断続的に連結部を設けて、破線状に切断した請求項１に記載の空気調和機の室外機用袋。
【発明の詳細な説明】
【技術分野】
【０００１】
本発明は、被梱包物である分離型の空気調和機の室外機を輸送中の埃などから保護する室外機用袋に関するものである。
【背景技術】
【０００２】
従来の空気調和機の室外機用袋９は、図３に示すように被梱包物である空気調和機の室外機１０全体を包み込んでいた（例えば、特許文献１参照）。
【特許文献１】特開２００１−１１４３８２号公報
【発明の開示】
【発明が解決しようとする課題】
【０００３】
一般に、分離型の空気調和機の室外機は、製造時に組み立て完成後、再度充填した冷媒の漏れが無いか検査する必要があるが、上記従来の空気調和機の室外機用袋９（以下「室外機用袋９」という）の構成では、被梱包物である室外機１０に、室外機用袋９を被せた後に、室外機１０内に充填した冷媒の漏れが無いか確認することが容易に行えず、作業性が悪く検査の精度も低下するどの課題があった。
【０００４】
本発明は、このような従来の課題を解決するもので、空気調和機の室外機用袋の被せ作業が従来のままで、空気調和機の室外機用袋を被せた状態で冷媒漏れ検査を容易に行える空気調和機の室外機用袋を提供することを目的とする。
【課題を解決するための手段】
【０００５】
上記課題を解決するために、本発明の空気調和機の室外機用袋は、側面に室内機と接続する配管接続部を設けた空気調和機の室外機を覆い、輸送中に埃などから保護する空気調和機の室外機用袋において、前記室外機用袋の前記配管接続部側に、上端を残し３辺を切断して形成した略舌状の切断部を設けたもので、分離型の空気調和機の室外機に、室外機用袋を被せた後の冷媒漏れの検査が、切断部を利用して行うことが可能となり検査の作業性が向上する。また、室外機用袋で室外機全体を包み込むため微量な冷媒の漏れも発見することが可能となり検査の精度も向上させることができる。
【発明の効果】
【０００６】
本発明の空気調和機の室外機用袋は、上端を残して残りの３辺を切断して舌状の切断部を設けているので、室外機に室外機用袋を被せた後でも、容易に冷媒漏れ検査を精度良く行うことができる。
【発明を実施するための最良の形態】
【０００７】
第１の発明は、側面に室内機と接続する配管接続部を設けた空気調和機の室外機を覆い、輸送中に埃などから保護する空気調和機の室外機用袋において、前記室外機用袋の前記配管接続部側に、上端を残し３辺を切断して形成した略舌状の切断部を設けたもので、分離型の空気調和機の室外機に、室外機用袋を被せた後の冷媒漏れの検査が、切断部を利用して行うことが可能となり検査の作業性が向上する。また、室外機用袋で室外機全体を包み込むため微量な冷媒の漏れも発見することが可能となり検査の精度も向上させることができる。
【０００８】
第２の発明は、特に、第１の発明の３辺を、断続的に連結部を設けて、破線状に切断したもので、検査を実施した痕跡が、室外機用袋に残り検査実施の確認も容易に行うことが可能となり、人為的なミスの防止も図れる。また、切断部を、冷媒漏れ検査に使用しない場合は、連結部により切断部が閉じた状態で残っているので、切断部から埃が入り室外機を汚すなどの不具合も解消できる。
【０００９】
以下、本発明の実施の形態について、図面を参照しながら説明する。なお、この実施の形態によって本発明が限定されるものではない。
【００１０】
（実施の形態１）
図１は、本発明の第１の実施の形態における空気調和機の室外機用袋を室外機に被せた状態を示す斜視図である。
【００１１】
本実施の形態における空気調和機の室外機用袋１（以下「室外機用袋１」は、図１に示すように、その一側面に、上端を残し、残りの３辺を連続的に切断して舌状の切断部２を形成し、被梱包物である分離型の空気調和機の室外機３に被せるようにしたものである。このとき、室外機用袋１に設けた切断部２が、室外機３に設けた室内機（図示せず）と接続するための配管接続部４の側に位置するように被せる。
【００１２】
以上のように、本実施の形態における室外機用袋１によれば、室外機用袋１の配管接続部４側に切断部２が形成されているので、室外機３に室外機用袋１を被せた状態でも、切断部２より、冷媒漏れの検査を行うことができるようになり、冷媒漏れの発見しやすい部分を集中的に検査すると共に、室外機用袋１を被せることで、他の部分からの漏れも、その室外機用袋１内に冷媒がこもることで、検査することが可能となり、容易な作業で精度の良い冷媒洩れ検査を行うことができる。
【００１３】
（実施の形態２）
図２は、本発明の第２の実施の形態における空気調和機の室外機用袋の要部拡大図である。なお、上記第１の実施の形態における空気調和機の室外機用袋と同一部分には、同一符号を付してその説明を省略する。
【００１４】
本実施の形態における室外機用袋１は、図２に示すように、切断部２を、上端を残して他の３辺を切断する際に、連結部５を断続的に残して破線状に切断して、形成したものである。冷媒漏れなどの検査を行うときは、この連結部５を破断して、切断部２を開いて行う。
【００１５】
以上のように、本実施の形態における室外機用袋１によれば、切断部２を、破線状に切断して形成することで、検査実施の痕跡が残り、作業漏れなど人為的検査ミスの確認が容易い行うことが可能である。また、冷媒漏れの検査に使用しないときも、切断部２が連結５により閉じられているので、埃が入るなどの不具合を防止でき、室外機用袋１としての本来の機能も維持することが可能である。
【産業上の利用可能性】
【００１６】
以上のように、本発明にかかる空気調和機の室外機用袋は、配管接続部側に切断部を有するので、室外機に被せた状態で、冷媒漏れ検査を容易に行うことができるもので、冷媒漏れ以外の検査や分離型空気調和機室外機以外の製品でも利用できる。
【図面の簡単な説明】
【００１７】
【図１】本発明の第１の実施の形態における空気調和機の室外機用袋を室外機に被せた状態を示す斜視図
【図２】本発明の第２の実施の形態における空気調和機の室外機用袋の要部拡大図
【図３】従来の空気調和機の室外機用袋を室外機に被せた状態を示す斜視図
【符号の説明】
【００１８】
１  空気調和機の室外機用袋（室外機用袋）
２  切断部
３  室外機
４  配管接続部
５  連結部
【図１】
2010083569.tif 000003
【図２】
2010083569.tif 000004
【図３】
2010083569.tif 000005